【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】  原稿台に載置された複葉原稿を分離して、送り制御を行う複葉原稿搬送部を有し、原稿搬送の開始で前記複葉原稿の搬送方向における積載位置の規制を行う原稿ストッパ手段の解除を行うと共に、原稿搬送経路から退避した状態から原稿搬送可能な状態に駆動されて原稿を所定のタイミングで前記複葉原稿搬送部に送る予備搬送手段とを有する原稿搬送装置において、原稿台上での原稿の有無を検出し、原稿台に原稿が滞留している場合には、その時点で前記予備搬送手段及び前記原稿ストッパ手段の初期化動作を行わず、待機状態で原稿が取り除かれるのを待って自動的に初期化動作を行うことを特徴とする原稿搬送装置。
【請求項２】  該原稿搬送装置の電源投入時または、原稿読取動作の終了時に、原稿台上での原稿の有無を検出することを特徴とする請求項１に記載の原稿搬送装置。
【請求項３】  前記予備搬送手段は、一部を略平坦に切り欠いた平坦部を有するローラ部材であって、原稿搬送経路に前記平坦部が向いた位置に前記ローラ部材を停止させる動作を初期化動作とすることを特徴とする請求項１または２に記載の原稿搬送装置。
【請求項４】  前記複葉原稿搬送部は、駆動モータの第１の回転方向への回転で前記予備搬送手段から分離ローラを経た原稿を搬送する搬送ローラを有し、原稿が前記分離ローラから離れて前記搬送ローラのみで搬送が開始されると、前記予備搬送手段の回転で次の原稿の搬送を開始させ、前記搬送ローラにより搬送される原稿に従動して前記分離ローラが回転すると前記予備搬送手段の回転を停止させて初期位置に保持する動力伝達機構を有することを特徴とする請求項１、２または３に記載の原稿搬送装置。
【請求項５】  前記動力伝達機構は、前記駆動モータが前記第１の回転方向と逆の第２の回転方向に回転すると、前記分離ローラの回転を断って前記原稿ストッパ手段と前記予備搬送手段を初期位置に移動させることを特徴とする請求項４に記載の原稿搬送装置。
【請求項６】  請求項１、２、３、４または５に記載の原稿搬送装置を有し、前記複葉原稿搬送部は、前記複葉原稿を分離して原稿読取手段への原稿送り制御を行うことを特徴とする原稿読取装置。
【手続補正２】
【補正対象書類名】明細書
【補正対象項目名】０００３
【補正方法】変更
【補正の内容】
【０００３】
図１８はファクシミリ装置の外観図で、上面の右側に原稿を載置する原稿載置部が配置され、上面の左側に開閉可能なカバーを備えた画像読取部１０３が配置されており、前記原稿載置部に原稿面を下向きにして積載された複数枚の原稿（複葉原稿）は、最下層のものから順次密着型イメージセンサに搬送され、原稿排紙トレイ１０８に排紙される。また、記録紙が積載された給紙部１１３，１１１，１１７からの記録紙は、不図示の画像形成部で形成された画像信号に対応のトナー画像が転写され、不図示の定着装置を経て記録紙排紙トレイ１１２に排紙されるようになっている。
【手続補正３】
【補正対象書類名】明細書
【補正対象項目名】０００５
【補正方法】変更
【補正の内容】
【０００５】
上分離ローラ１０６と上搬送ローラ１０８とは、カバー部２００に取り付けられた加圧レバー１０９に取り付けられ、加圧バネ１１０のバネ力によりそれぞれ下分離ローラ１０５と下搬送ローラ１０７に加圧接触するようになっている。また上排紙ローラ１１３もカバー部２００に取り付けられ、このカバー部２００を開くことによりシートガイド１０２から原稿を取り除くことができるようになっている。
【手続補正４】
【補正対象書類名】明細書
【補正対象項目名】００１２
【補正方法】変更
【補正の内容】
【００１２】
ここで、装置本体の電源オンや原稿のジャム処理後等において、前記ストッパー装置を手動操作で動かすと、ストッパーレバー１２１の位置やカム部材１２３がどのような位置（角度）にあるかが不明となる場合がある。このような場合には、カム部材１２３の初期化動作を行う。この初期化動作は、前記モータに、カム部材１２３を１回転以上正転させるパルス数を与える。そうすると、カム部材１２３の係止部１２６はストッパーレバー１２１の係止部１２５に確実に係止するので、前記モータの初期化正転動作後に、図１７の（４）の位置から（５）の位置への逆回転方向への所定のパルス数を与える。この初期化動作により、待機状態が得られる。
【手続補正５】
【補正対象書類名】明細書
【補正対象項目名】００２１
【補正方法】変更
【補正の内容】
【００２１】
【課題を解決するための手段】
本発明の目的を実現する原稿搬送装置の第１の構成は、原稿台に載置された複葉原稿を分離して、送り制御を行う複葉原稿搬送部を有し、原稿搬送の開始で前記複葉原稿の搬送方向における積載位置の規制を行う原稿ストッパ手段の解除を行うと共に、原稿搬送経路から退避した状態から原稿搬送可能な状態に駆動されて原稿を所定のタイミングで前記複葉原稿搬送部に送る予備搬送手段とを有する原稿搬送装置において、原稿台上での原稿の有無を検出し、原稿台に原稿が滞留している場合には、その時点で前記予備搬送手段及び前記原稿ストッパ手段の初期化動作を行わず、待機状態で原稿が取り除かれるのを待って自動的に初期化動作を行うことを特徴とする。
【手続補正６】
【補正対象書類名】明細書
【補正対象項目名】００２２
【補正方法】変更
【補正の内容】
【００２２】
本発明の目的を実現する原稿搬送装置の第２の構成は、該原稿搬送装置の電源投入時または、原稿読取動作の終了時に、原稿台上での原稿の有無を検出することを特徴とする。
【手続補正７】
【補正対象書類名】明細書
【補正対象項目名】００２４
【補正方法】変更
【補正の内容】
【００２４】
本発明の目的を実現する原稿搬送装置の第３の構成は、上記いずれかの構成において、前記複葉原稿搬送部は、駆動モータの第１の回転方向への回転で前記予備搬送手段から分離ローラを経た原稿を搬送する搬送ローラを有し、原稿が前記分離ローラから離れて前記搬送ローラのみで搬送が開始されると、前記予備搬送手段の回転で次の原稿の搬送を開始させ、前記搬送ローラにより搬送される原稿に従動して前記分離ローラが回転すると前記予備搬送手段の回転を停止させて初期位置に保持する動力伝達機構を有することを特徴とする。
【手続補正８】
【補正対象書類名】明細書
【補正対象項目名】００２６
【補正方法】変更
【補正の内容】
【００２６】
本発明の目的を実現する原稿読取装置の構成は、上記いずれかの構成の原稿搬送装置を有し、前記複葉原稿搬送部は、前記複葉原稿を分離して原稿読取手段への原稿送り制御を行うことを特徴とする。
【手続補正９】
【補正対象書類名】明細書
【補正対象項目名】００３２
【補正方法】変更
【補正の内容】
【００３２】
上下段の給紙カセット１ａ，１ｂに対して同構成の給紙機構が配置されており（上段の給紙機構にはａ、下段の給紙機構にはｂを夫々符号に添えて示している）、給紙カセット１ａの爪４ａに当接する最上位置の記録シート２ａを給紙ローラ３ａにより取り出して、一対のフィードローラ５ａと５ｂのニップ部に送る。記録シート２ａは、一対のフィードローラ５ａ，５ｂにより、記録系Ｂに送られる。記録系Ｂは、プラテン３０に対して幅方向（主走査方向）にインクカートリッジ９を有するインクヘッドを装着したキャリッジ３１が移動可能に構成され、プラテンローラ８に支持された記録シート２ａに対して印字が行われる。この印字は、キャリッジモータ３６により正逆転するプーリ３２に巻回されたタイミングベルト３３と一体にキャリッジ３１がガイドレール３４にガイドされながら主走査方向に移動することにより行われる。なお、記録カバー１２を開放することによりインクカートリッジなどの交換が行える。
【手続補正１０】
【補正対象書類名】明細書
【補正対象項目名】００３６
【補正方法】変更
【補正の内容】
【００３６】
図７において、原稿搬送方向の上流側から下流側に順に予備搬送ローラ５１、下分離ローラ１６ａ、下搬送ローラ１７ａ、下排出ローラ１８ａが配置され、下搬送ローラ１７ａと下排出ローラ１８ａとの間に光電変換素子としてのイメージラインセンサー１９が配置され、これらの予備搬送ローラ５１、下分離ローラ１６ａ、下搬送ローラ１７ａ、下排出ローラ１８ａおよびイメージラインセンサー１９が下原稿フレーム５０に夫々取付けられている。
【手続補正１１】
【補正対象書類名】明細書
【補正対象項目名】００５０
【補正方法】変更
【補正の内容】
【００５０】
予備搬送ローラ用バネクラッチ５４が原稿搬送方向と逆方向に回転すると、図１１の（ａ）に示すように、予備搬送ローラバネクラッチ５４の外向曲げ起こし部５４ｂが振り子８０に突き当たり、振り子８０は下原稿フレーム５０のリブ５０ａに突き当たるので回転できなくなる。その結果、バネクラッチ５４の外向曲げ起こし部５４ｂが振り子８０へ突き当たることでバネクラッチ５４は緩むため、クラッチ軸５２と予備搬送ローラ軸５３の間の駆動は断たれるので、予備搬送ローラ５１は静止する。